(57)【要約】      （修正有）【課題】コーヒー等の飲料を含む飲食物の購入者へ印象深い働きかけを行うことによって、商品・サービスの宣伝広告効果を高める。【解決手段】描画装置が食用可能な色素等の材料を使って飲食物上に描画する所定の特徴を含む第１画像であって、ユーザー端末が備える撮像手段によって撮影される第１画像から抽出される所定の特徴に基づくアクセスに応じ、ユーザー端末に表示させる第２画像を特定する手段と、特定される第２画像をユーザー端末に第１画像に重ねて表示させる指示を行う手段と、ユーザー端末における第２画像に対するユーザー操作に基づくアクセスに応じ、ユーザー端末に行わせる商品又はサービスの販売促進に関する所定の情報処理を特定する手段と、特定される所定の情報処理をユーザー端末に実行させる指示を行う手段と、を有する。【選択図】図２
2020092832.tif 000002
【特許請求の範囲】
【請求項１】
ユーザー端末と通信ネットワークを介して接続される情報処理装置であって、
描画装置が食用可能な色素等の材料を使って飲食物上に描画する所定の特徴を含む第１画像であって、前記ユーザー端末が備える撮像手段によって撮影される前記第１画像から抽出される前記所定の特徴に基づくアクセスに応じ、前記ユーザー端末に表示させる第２画像を特定する第２画像特定手段と、
前記第２画像特定手段によって特定される前記第２画像を、前記ユーザー端末に、前記第１画像に重ねて表示させる指示を行う第２画像表示手段と、
前記ユーザー端末における前記第２画像に対するユーザー操作に基づくアクセスに応じ、前記ユーザー端末に行わせる商品又はサービスの販売促進に関する所定の情報処理を特定する処理内容特定手段と、
前記処理内容特定手段によって特定される前記所定の情報処理を、前記ユーザー端末に実行させる指示を行う処理実行指示手段と、を有することを特徴とする情報処理装置。
【請求項２】
前記所定の特徴に基づくアクセスに関する情報と、前記第２画像と、を関連付けて記憶する表示画像記憶手段と、
前記ユーザー操作に基づくアクセスに関する情報と、前記商品又はサービスの販売促進に関する所定の情報処理と、を関連付けて記憶する処理内容記憶手段と、を有することを特徴とする請求項１に記載の情報処理装置。
【請求項３】
ユーザー端末と通信ネットワークを介して接続される情報処理装置において行われる情報処理方法であって、
第２画像特定手段が、描画装置が食用可能な色素等の材料を使って飲食物上に描画する所定の特徴を含む第１画像であって、前記ユーザー端末が備える撮像手段によって撮影される前記第１画像から抽出される前記所定の特徴に基づくアクセスに応じ、前記ユーザー端末に表示させる第２画像を特定するステップと、
第２画像表示手段が、前記第２画像特定手段によって特定される前記第２画像を、前記ユーザー端末に、前記第１画像に重ねて表示させる指示を行うステップと、
処理内容特定手段が、前記ユーザー端末における前記第２画像に対するユーザー操作に基づくアクセスに応じ、前記ユーザー端末に行わせる商品又はサービスの販売促進に関する所定の情報処理を特定するステップと、
処理実行指示手段が、前記処理内容特定手段によって特定される前記所定の情報処理を、前記ユーザー端末に実行させる指示を行うステップと、を含む情報処理方法。
【請求項４】
前記情報処理装置が、前記所定の特徴に基づくアクセスに関する情報と、前記第２画像と、を関連付けて記憶する表示画像記憶手段と、
前記ユーザー操作に基づくアクセスに関する情報と、前記商品又はサービスの販売促進に関する所定の情報処理と、を関連付けて記憶する処理内容記憶手段と、を有することを特徴とする請求項３に記載の情報処理方法。
【請求項５】
コンピューターに、請求項３又は４に記載の方法を実行させるための情報処理プログラム。
【請求項６】
描画装置が食用可能な色素等の材料を使って飲食物上に描画する所定の特徴を含む第１画像であって、情報処理装置が備える撮像手段によって撮影される前記第１画像から抽出される前記所定の特徴と、前記情報処理装置に表示させる第２画像と、を関連付けて記憶する表示画像記憶手段と、前記情報処理装置における前記第２画像に対するユーザー操作と、前記情報処理装置に行わせる商品又は広告の販売促進に関する所定の情報処理と、を関連付けて記憶する処理内容記憶手段と、を有する情報処理装置に、
第２画像特定手段が、前記第１画像から抽出した前記所定の特徴と関連付けられる前記第２画像を特定するステップと、
第２画像表示手段が、前記情報処理装置が備える表示装置に、前記第１画像に重ねて前記第２画像を表示させるステップと、
処理内容特定手段が、前記情報処理装置における前記第２画像に対する前記ユーザー操作に基づいて、該ユーザー操作と関連付けられる前記所定の情報処理を特定するステップと、
処理指示手段が、特定された前記所定の情報処理を前記情報処理装置に実行させるステップと、を実行させるための情報処理プログラム。
【発明の詳細な説明】
【技術分野】
【０００１】
広告提供の技術に関する。
【背景技術】
【０００２】
近年、コーヒーのような飲料の液面上に絵を描く、ラテ・アート又はコーヒー・アートなる技術が普及しており、また、飲料液面上に自動で絵を描かせるための装置も存在する。
【０００３】
ところで、商品・サービスの販売促進を目的とする広告は、一般的には、消費者に対し印象を強く残した方が購買行動を促進させる可能性が高いものと思われる。
【０００４】
そういった背景下、従来、広告の技術に関し多種多様、かつ、多数の提案がなされており、例えば、特許文献１では、広告データ（広告コンテンツ）を記録した音声データ又は静止画像データもしくは動画データを閲覧又は聴取する手段を用いた電子ＰＯＰ広告出力装置が提案されている。
【先行技術文献】
【特許文献】
【０００５】
【特許文献１】特開２００９−８９６６号公報
【発明の概要】
【発明が解決しようとする課題】
【０００６】
しかしながら、上記の従来技術においては、広告を見る消費者に与える印象が大きいとは言えず、消費者の購買行動を促進させる効果が小さいという問題点があった。
【０００７】
そこで本発明では、上記問題点を鑑み、コーヒー等の飲料を含む飲食物の購入者へ印象深い働きかけを行うことによって、商品・サービスの宣伝広告効果を高める情報処理装置を提供することを目的とする。
【課題を解決するための手段】
【０００８】
開示する情報処理装置の一形態は、ユーザー端末と通信ネットワークを介して接続される情報処理装置であって、描画装置が食用可能な色素等の材料を使って飲食物上に描画する所定の特徴を含む第１画像であって、前記ユーザー端末が備える撮像手段によって撮影される前記第１画像から抽出される前記所定の特徴に基づくアクセスに応じ、前記ユーザー端末に表示させる第２画像を特定する第２画像特定手段と、前記第２画像特定手段によって特定される前記第２画像を、前記ユーザー端末に、前記第１画像に重ねて表示させる指示を行う第２画像表示手段と、前記ユーザー端末における前記第２画像に対するユーザー操作に基づくアクセスに応じ、前記ユーザー端末に行わせる商品又はサービスの販売促進に関する所定の情報処理を特定する処理内容特定手段と、前記処理内容特定手段によって特定される前記所定の情報処理を、前記ユーザー端末に実行させる指示を行う処理実行指示手段と、を有することを特徴とする。
【０００９】
開示する情報処理プログラムの一形態は、描画装置が食用可能な色素等の材料を使って飲食物上に描画する所定の特徴を含む第１画像であって、情報処理装置が備える撮像手段によって撮影される前記第１画像から抽出される前記所定の特徴と、前記情報処理装置に表示させる第２画像と、を関連付けて記憶する表示画像記憶手段と、前記情報処理装置における前記第２画像に対するユーザー操作と、前記情報処理装置に行わせる商品又は広告の販売促進に関する所定の情報処理と、を関連付けて記憶する処理内容記憶手段と、を有する情報処理装置に、第２画像特定手段が、前記第１画像から抽出した前記所定の特徴と関連付けられる前記第２画像を特定するステップと、第２画像表示手段が、前記情報処理装置が備える表示装置に、前記第１画像に重ねて前記第２画像を表示させるステップと、処理内容特定手段が、前記情報処理装置における前記第２画像に対する前記ユーザー操作に基づいて、該ユーザー操作と関連付けられる前記所定の情報処理を特定するステップと、処理指示手段が、特定された前記所定の情報処理を前記情報処理装置に実行させるステップと、を実行させるためのものであることを特徴とする。
【発明の効果】
【００１０】
開示する情報処理装置は、コーヒー等の飲料を含む飲食物の購入者へ印象深い働きかけを行うことによって、商品・サービスの宣伝広告効果を高める。
【図面の簡単な説明】
【００１１】
【図１】本実施の形態に係る情報処理装置の概要を説明する図である。
【図２】本実施の形態に係る情報処理装置の機能ブロック図である。
【図３】本実施の形態に係る情報処理装置のハードウエア構成例を示す図である。
【図４】本実施の形態に係る情報処理装置による処理例１の流れを示すフローチャートである。
【図５】本実施の形態に係る情報処理装置による処理例２の流れを示すフローチャートである。
【発明を実施するための形態】
【００１２】
図面を参照しながら、本発明を実施するための形態について説明する。
（本実施の形態に係る情報処理装置の動作原理）
【００１３】
図１及び２を用いて、本実施の形態に係る情報処理装置（以下、単に「本装置」という。）１００の動作原理について説明する。図１は、本装置１００と周辺装置との関係を示す図であり、図２は、本装置１００の機能ブロック図である。また、本装置１００は、ユーザー３１０が操作するユーザー端末３２０と通信ネットワーク３３０を介して接続される形態であっても良く、ユーザー端末３２０自体が本装置１００となる形態であっても良い。
【００１４】
通信ネットワーク３３０は、有線の通信ネットワークであっても良く、無線の通信ネットワークであっても良い。また、ユーザー端末３２０は、コンピューターであれば特に形態は限定されないが、スマートフォンのような携帯情報端末であれば好適である。
【００１５】
本装置１００は、描画装置２１０が飲食物（例えば、コーヒー等）２２０に描く第１画像２４０から抽出された特徴２５０に基づき、ユーザー端末３２０の表示装置に表示される第１画像２４０に重ねて、第２画像２６０を表示させる。加えて、本装置１００は、第２画像２６０に対するユーザー操作２７０に基づいて、ユーザー端末３２０に商品・サービスの販売促進に関する情報処理（例えば、クーポン発行等）２８０を実行させる。
【００１６】
上記のような処理を通じ、本装置１００は、コーヒー等の飲料を含む飲食物２２０の購入者３１０へ印象深い働きかけを行うことによって、商品・サービスの宣伝広告効果を高めることができる。
【００１７】
図２で示すように、本装置１００は、表示画像記憶手段１１０、処理内容記憶手段１２０、第２画像特定手段１３０、第２画像表示手段１４０、処理内容特定手段１５０、処理実行指示手段１６０を有する。なお、本発明においては、本装置１００とユーザー端末３２０とが別装置となる第１実施形態と、ユーザー端末３２０そのものが本装置１００となる第２実施形態とが想定される。
【００１８】
描画装置２１０は、食用可能な色素等の材料を使って、飲食物２２０上に、第１画像２４０（第１画像２４０中に含まれる所定の特徴２５０と共に）を描画する。ここで、飲食物２２０は、コーヒー、ビールなどの液体（飲料）、ケーキ・菓子などの固体（食べ物）を含む概念であり、飲食可能であれば特に内容は限定されない。
【００１９】
第１実施形態において、ユーザー端末３２０は、撮像手段２３０によって飲食物２２０（第１画像２４０）を撮影し、撮影した第１画像２４０の中から所定の特徴２５０を抽出する。そして、ユーザー端末３２０は、自身が保有するデータベースを参照して、抽出した所定の特徴２５０と関係づけられる接続先（アクセス先）へアクセスする。このとき、ユーザー端末３２０が保有するデータベースは、抽出した特徴２５０と、ユーザー端末３２０の接続先（アクセス先）と、を紐付けて記憶する形態であっても良く、また、抽出した特徴２５０から接続先（アクセス先）を解読・抽出する方法を記憶する形態であっても良い。
【００２０】
第１実施形態において、表示画像記憶手段１１０は、所定の特徴２５０に基づく接続（アクセス）に関する情報２９０と、第２画像２６０と、を関連付けて記憶する。情報２９０は、特徴２５０に応じて接続先が特定される場合、その接続先を識別するＵＲＬ（Uniform Resource Locator）であっても良く、ユーザー端末３２０が接続時に特徴２５０を通知する場合、その特徴２５０であっても良い。第２画像２６０は、静止画・動画何れでも良く、ユーザー端末３２０の表示装置に表示される第１画像２４０に重ねて表示させるための画像であり、画像の内容は特に限定されない。
【００２１】
第２実施形態において、ユーザー端末３２０は、撮像手段２３０によって飲食物２２０（第１画像２４０）を撮影し、撮影した第１画像２４０の中から所定の特徴２５０を抽出する。そのとき、表示画像記憶手段１１０は、第１画像２４０から抽出された所定の特徴２５０と、ユーザー端末３２０に表示させる第２画像２６０と、を関連付けて記憶する。
【００２２】
第１実施形態において、ユーザー端末３２０は、表示装置に表示される第２画像２６０に対するユーザー操作２７０を受け付ける。ユーザー操作２７０とは、例えば、ボタンタップ（押下）、画面スワイプ等であり、その操作内容は特に限定されない。そして、ユーザー端末３２０は、自身が保有するデータベースを参照して、受け付けたユーザー操作２７０と関係づけられる接続先（アクセス先）へアクセスする。このとき、ユーザー端末３２０が保有するデータベースは、受け付けたユーザー操作２７０と、ユーザー端末３２０の接続先（アクセス先）と、を紐付けて記憶する形態であっても良い。
【００２３】
第１実施形態において、処理内容記憶手段１２０は、ユーザー操作２７０に基づく接続（アクセス）に関する情報３００と、ユーザー端末３２０に行わせる商品又はサービスの販売促進に関する情報処理２８０と、を関連付けて記憶する。情報３００は、ユーザー操作２７０に応じて接続先が特定される場合、その接続先を識別するＵＲＬ（Uniform Resource Locator）であっても良く、ユーザー端末３２０が接続時にユーザー操作２７０の内容を通知する場合、そのユーザー操作２７０の内容であっても良い。情報処理２８０は、商品・サービスの販売を促進させるための情報処理であれば特に内容は限定されず、例えば、商品・サービスに関するクーポン発行等の情報処理である。
【００２４】
第２実施形態において、ユーザー端末３２０は、表示装置に表示される第２画像２６０に対するユーザー操作２７０を受け付ける。そのとき、処理内容記憶手段１２０は、受け付けた第２画像２６０に対するユーザー操作２７０と、ユーザー端末３２０に行わせる商品・サービスの販売促進に関する情報処理２８０と、を関連付けて記憶する。
【００２５】
第１実施形態において、第２画像特定手段１３０は、ユーザー端末３２０が第１画像２４０から抽出した特徴２５０に基づくアクセスに応じ、ユーザー端末３２０に表示させる第２画像２６０を特定する。第２画像特定手段１３０は、特徴２５０に基づくユーザー端末３２０による接続（アクセス）から情報２９０を特定し、特定した情報２９０と表示画像記憶手段１１０において関連付けられる第２画像２６０を特定する。
【００２６】
第２実施形態において、第２画像特定手段１３０は、ユーザー端末３２０が第１画像２４０から抽出した特徴２５０と表示画像記憶手段１１０において関連付けられる第２画像２６０を特定する。
【００２７】
第１実施形態において、第２画像表示手段１４０は、ユーザー端末３２０に対し、第２画像特定手段１３０によって特定された第２画像２６０を、ユーザー端末３２０に表示されている第１画像２４０に重ねて表示させる指示を行う。ユーザー端末３２０は、第２画像表示手段１４０による指示に応じて、第１画像２４０に重ねて第２画像２６０を表示させる。
【００２８】
第２実施形態において、第２画像表示手段１４０は、ユーザー端末３２０の表示装置に表示される第１画像２４０に重ねて、第２画像特定手段１３０によって特定された第２画像２６０を表示させる（表示する）。
【００２９】
第１実施形態において、処理内容特定手段１５０は、ユーザー端末３２０が受け付けたユーザー操作２７０に基づくアクセスに応じ、ユーザー端末３２０に実行させる情報処理２８０を特定する。処理内容特定手段１５０は、ユーザー操作２７０に基づくユーザー端末３２０による接続（アクセス）から情報３００を特定し、特定した情報３００と処理内容記憶手段１２０において関連付けられる情報処理２８０を特定する。
【００３０】
第２実施形態において、処理内容特定手段１５０は、ユーザー端末３２０が受け付けたユーザー操作２７０と処理内容記憶手段１２０において関連付けられる情報処理２８０を特定する。
【００３１】
第１実施形態において、処理実行指示手段１６０は、ユーザー端末３２０に対し、処理内容特定手段１５０によって特定された情報処理２８０を、ユーザー端末３２０に実行させる指示を行う。ユーザー端末３２０は、処理実行指示手段１６０による指示に応じて、情報処理２８０を実行する。
第２実施形態において、処理実行指示手段１６０は、ユーザー端末３２０自身に、処理内容特定手段１５０によって特定された情報処理２８０を実行させる。
【００３２】
上記動作原理に基づいて、本装置１００は、コーヒー等の飲料を含む飲食物２２０の購入者３１０へ印象深い働きかけを行うことによって、商品・サービスの宣伝広告効果を高めることができる。
（本実施の形態に係る情報処理装置のハードウエア構成）
【００３３】
図３を用いて、本装置１００のハードウエア構成例について説明する。図３は、本装置１００のハードウエア構成の一例を示す図である。図３で示すように、本装置１００は、ＣＰＵ（Central Processing Unit）５１０、ＲＯＭ（Read-Only Memory）５２０、ＲＡＭ（Random Access Memory）５３０、補助記憶装置５４０、通信Ｉ／Ｆ５５０、入力装置５６０、表示装置５７０、記録媒体Ｉ／Ｆ５８０を有する。
【００３４】
ＣＰＵ５１０は、ＲＯＭ５２０に記憶されたプログラムを実行する装置であり、ＲＡＭ５３０に展開（ロード）されたデータを、プログラムの命令に従って演算処理し、本装置１００全体を制御する。ＲＯＭ５２０は、ＣＰＵ５１０が実行するプログラムやデータを記憶している。ＲＡＭ５３０は、ＣＰＵ５１０でＲＯＭ５２０に記憶されたプログラムを実行する際に、実行するプログラムやデータが展開（ロード）され、演算の間、演算データを一時的に保持する。
【００３５】
補助記憶装置５４０は、基本ソフトウエアであるＯＳ（Operating System）や本実施の形態に係るアプリケーションプログラムなどを、関連するデータとともに記憶する装置である。補助記憶装置５４０は、記憶手段１１０、１２０を含み、例えば、ＨＤＤ（Hard Disc Drive）やフラッシュメモリなどである。
【００３６】
通信Ｉ／Ｆ５５０は、有線・無線ＬＡＮ（Local Area Network）、インターネットなどの通信ネットワーク３３０に接続し、通信機能を提供する他装置とデータの授受を行うためのインターフェースである。
【００３７】
入力装置５６０は、キーボードなど本装置１００にデータ入力を行うための装置である。表示装置（出力装置）５７０は、ＬＣＤ（Liquid Crystal Display）等で構成される装置であり、本装置１００が有する機能をユーザーが利用する際や各種設定を行う際のユーザーインターフェースとして機能する装置である。記録媒体Ｉ／Ｆ５８０は、ＣＤ−ＲＯＭ、ＤＶＤ−ＲＯＭ、ＵＳＢメモリなどの記録媒体５９０とデータの送受信を行うためのインターフェースである。
【００３８】
本装置１００が有する各手段は、ＣＰＵ５１０が、ＲＯＭ５２０又は補助記憶装置５４０に記憶された各手段に対応するプログラムを実行することにより実現される形態としても良い。また、本装置１００が有する各手段は、当該各手段に関する処理をハードウエアとして実現される形態としても良い。また、通信Ｉ／Ｆ５５０を介して外部サーバー装置から本発明に係るプログラムを読み込ませたり、記録媒体Ｉ／Ｆ５８０を介して記録媒体５９０から本発明に係るプログラムを読み込ませたりして、本装置１００に当該プログラムを実行させる形態としても良い。
（本実施の形態に係る情報処理装置による処理例）
（１）第１実施形態における本装置１００による処理例
【００３９】
図４を用いて、第１実施形態における本装置１００による処理の流れを説明する。図４は、本装置１００による第１処理例の流れを示すフローチャートである。第１処理例は、本装置１００とユーザー端末３２０とが別体である場合の実施形態である。
【００４０】
Ｓ１０で描画装置２１０が、食用可能な色素等の材料を使って、飲食物２２０上に、第１画像２４０（第１画像２４０中に含まれる所定の特徴２５０と共に）を描画する。ここで、飲食物２２０は、コーヒー、ビールなどの液体（飲料）、ケーキ・菓子などの固体（食べ物）を含む概念であり、飲食可能であれば特に内容は限定されない。
【００４１】
Ｓ２０でユーザー端末３２０が、撮像手段２３０によって飲食物２２０（第１画像２４０）を撮影し、撮影した第１画像２４０の中から所定の特徴２５０を抽出する。続いて、Ｓ２０でユーザー端末３２０が、自身が保有するデータベースを参照して、抽出した所定の特徴２５０と関係づけられる接続先（アクセス先）へアクセスする。このとき、ユーザー端末３２０が保有するデータベースは、抽出した特徴２５０と、ユーザー端末３２０の接続先（アクセス先）と、を紐付けて記憶する形態であっても良く、また、抽出した特徴２５０から接続先（アクセス先）を解読・抽出する方法を記憶する形態であっても良い。
【００４２】
Ｓ３０で第２画像特定手段１３０が、Ｓ２０において第１画像２４０から抽出した特徴２５０に基づくアクセスに応じ、ユーザー端末３２０に表示させる第２画像２６０を特定する。つまり、第２画像特定手段１３０は、特徴２５０に基づくユーザー端末３２０による接続（アクセス）から情報２９０を特定し、特定した情報２９０と表示画像記憶手段１１０において関連付けられる第２画像２６０を特定する。
【００４３】
Ｓ３０で第２画像表示手段１４０が、ユーザー端末３２０に対し、Ｓ３０の第２画像特定手段１３０によって特定された第２画像２６０を、ユーザー端末３２０に表示されている第１画像２４０に重ねて表示させる指示を行う。
Ｓ４０でユーザー端末３２０が、Ｓ３０の第２画像表示手段１４０による指示に応じて、第１画像２４０に重ねて第２画像２６０を表示させる。
【００４４】
Ｓ５０でユーザー端末３２０が、表示装置に表示される第２画像２６０に対するユーザー操作２７０を受け付ける。ユーザー操作２７０とは、例えば、ボタンタップ（押下）、画面スワイプ等であり、その操作内容は特に限定されない。そして、Ｓ５０でユーザー端末３２０が、自身が保有するデータベースを参照して、受け付けたユーザー操作２７０と関係づけられる接続先（アクセス先）へアクセスする。このとき、ユーザー端末３２０が保有するデータベースは、受け付けたユーザー操作２７０と、ユーザー端末３２０の接続先（アクセス先）と、を紐付けて記憶する形態であっても良い。
【００４５】
Ｓ６０で処理内容特定手段１５０が、Ｓ５０においてユーザー端末３２０が受け付けたユーザー操作２７０に基づくアクセスに応じ、ユーザー端末３２０に実行させる情報処理２８０を特定する。つまり、処理内容特定手段１５０は、ユーザー操作２７０に基づくユーザー端末３２０による接続（アクセス）から情報３００を特定し、特定した情報３００と処理内容記憶手段１２０において関連付けられる情報処理２８０を特定する。
【００４６】
Ｓ６０で処理実行指示手段１６０が、ユーザー端末３２０に対し、Ｓ６０の処理内容特定手段１５０によって特定された情報処理２８０を、ユーザー端末３２０に実行させる指示を行う。
Ｓ７０でユーザー端末３２０が、Ｓ６０の処理実行指示手段１６０による指示に応じて、情報処理２８０を実行する。
【００４７】
上記処理を行うことによって、本装置１００は、コーヒー等の飲料を含む飲食物２２０の購入者３１０へ印象深い働きかけを行うことによって、商品・サービスの宣伝広告効果を高めることができる。
（２）第２実施形態における本装置１００による処理例
【００４８】
図５を用いて、第２実施形態における本装置１００による処理の流れを説明する。図５は、本装置１００による第２処理例の流れを示すフローチャートである。第２処理例は、ユーザー端末３２０そのものが本装置１００となる場合の形態である。
【００４９】
Ｓ１１０で描画装置２１０が、食用可能な色素等の材料を使って、飲食物２２０上に、第１画像２４０（第１画像２４０中に含まれる所定の特徴２５０と共に）を描画する。ここで、飲食物２２０は、コーヒー、ビールなどの液体（飲料）、ケーキ・菓子などの固体（食べ物）を含む概念であり、飲食可能であれば特に内容は限定されない。
【００５０】
Ｓ１２０でユーザー端末３２０が、撮像手段２３０によって飲食物２２０（第１画像２４０）を撮影し、撮影した第１画像２４０の中から所定の特徴２５０を抽出する。
【００５１】
Ｓ１３０で第２画像特定手段１３０が、Ｓ１２０において第１画像２４０から抽出した特徴２５０と、表示画像記憶手段１１０において関連付けられる第２画像２６０を特定する。
【００５２】
Ｓ１４０で第２画像表示手段１４０が、ユーザー端末３２０の表示装置に表示される第１画像２４０に重ねて、Ｓ１３０の第２画像特定手段１３０によって特定された第２画像２６０を表示させる（表示する）。
Ｓ１５０でユーザー端末３２０が、表示装置に表示される第２画像２６０に対するユーザー操作２７０を受け付ける。
【００５３】
Ｓ１６０で処理内容特定手段１５０が、Ｓ１５０において受け付けたユーザー操作２７０と、処理内容記憶手段１２０において関連付けられる情報処理２８０を特定する。
【００５４】
Ｓ１７０で処理実行指示手段１６０が、ユーザー端末３２０自身に、Ｓ１６０の処理内容特定手段１５０によって特定された情報処理２８０を実行させる。つまり、ユーザー端末３２０（処理実行指示手段１６０）は、Ｓ１６０の処理内容特定手段１５０によって特定された情報処理２８０を実行する。
【００５５】
上記処理を行うことによって、本装置１００は、コーヒー等の飲料を含む飲食物２２０の購入者３１０へ印象深い働きかけを行うことによって、商品・サービスの宣伝広告効果を高めることができる。
【００５６】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００５７】
１００  情報処理装置
１１０  表示画像記憶手段
１２０  処理内容記憶手段
１３０  第２画像特定手段
１４０  第２画像表示手段
１５０  処理内容特定手段、
１６０  処理実行指示手段
２１０  描画装置
２２０  飲食物
２３０  撮像手段
２４０  第１画像
２５０  第１画像中の特徴
２６０  第２画像
２７０  第２画像に対するユーザー操作
２８０  広告に関する所定の情報処理
２９０  第１画像中の特徴に基づくアクセスに関する情報
３００  ユーザー操作に基づくアクセスに関する情報
３１０  ユーザー
３２０  ユーザー端末
３３０  通信ネットワーク
５１０  ＣＰＵ
５２０  ＲＯＭ
５３０  ＲＡＭ
５４０  補助記憶装置
５５０  通信インターフェース
５６０  入力装置
５７０  出力装置
５８０  記録媒体インターフェース
５９０  記録媒体
【図１】
2020092832.tif 000003
【図２】
2020092832.tif 000004
【図３】
2020092832.tif 000005
【図４】
2020092832.tif 000006
【図５】
2020092832.tif 000007